(57)【要約】      （修正有）【課題】強度が高く、組立、解体が容易で且つ搬送に便利な棚を提供する。【解決手段】床板用の帯板と、天板用の帯板と、複数本の鉄芯１６と、内径部に鉄芯１６をスライド自在に保持する鉄芯保持部とナットをスライド自在に保持するナット保持部とが形成された複数の金属製の分割管体１４と、複数の棚板と、キャップスクリューの先端で分割管体１４内の鉄芯を鉄芯保持部に押圧して鉄芯１６を分割管体１４の中心に固定するための固定具２４とを備え、床板用の帯板に固定された鉄芯１６に嵌挿された分割管体１４と、これに軸方向に接する分割管体１４とを、一方の分割管体１４側の鉄芯１６の一部を、他方の分割管体１４側の鉄芯保持部に嵌挿し、鉄芯１６を鉄芯保持部に固定具２４によって固定することにより互いに軸方向に結合して棚を組み立て、棚板は、固定具２４のキャップにより分割管体１４の適所に支持する。【選択図】図１１
2014147663.tif 000002
【特許請求の範囲】
【請求項１】
全体を縦方向に複数に分割した棚であって、鉄芯固定用のナット（３０）が複数理設され、表面に複数の前記ナット（３０）のねじ穴が開口する床板用の帯板（１０ａ）と、鉄芯固定用のナット（３０）が複数理設され、表面に複数の前記ナット（３０）のねじ穴が開口する天板用の帯板（１０ｂ）と、外周部にねじが切られた複数本の鉄芯（１６）と、内径部に鉄芯（１６）をスライド自在に保持する鉄芯保持部（２０）とナットをスライド自在に保持するナット保持部（２２）が形成された複数の金属製の分割管体（１４）と、前記分割管体（１４）にスライド自在に嵌合するための穴を有する複数の棚板（１２）と、キャップ（２６ａ）を有するキャップスクリュー（２６）と該キャップスクリュー（２６）に螺合するナット（２８）とを有し、該キャップスクリュー（２６）の先端で前記分割管体（１４）内の鉄芯（１６）を前記鉄芯保持部（２０）に押圧して鉄芯（１６）を分割管体（１４）に固定する固定具（２４）とを備え、前記各分割管体（１４）に、該分割管体（１４）の全長にわたって延びる凹入部（１８）を設け、該凹入部（１８）の奥部側に前記鉄芯保持部（２０）を形成し、前記凹入部（１８）の開口部側に前記ナット保持部（２２）を設け、前記床板用の帯板（１０ａ）のねじ穴に、鉄芯（１６）をねじ込んで床板用の帯板（１０ａ）の表面に鉄芯（１６）を垂直に固定し、前記天板用の帯板（１０ｂ）のねじ穴に、鉄芯（１６）をねじ込んで天板用の帯板（１０ｂ）の表面に鉄芯（１６）を垂直に固定し、前記床板用の帯板（１０ａ）に固定された鉄芯（１６）に嵌挿された分割管体（１４）と、これに軸方向に接する分割管体（１４）とを、一方の分割管体（１４）側の鉄芯（１６）の一部を、他方の分割管体（１４）側の鉄芯保持部（２０）に嵌挿し、該鉄芯（１６）の嵌挿部分を前記固定具（２４）によって前記他方の分割管体（１４）の鉄芯保持部（２０）に固定することにより一対の分割管体（１４）（１４）を互いに軸方向に結合して支柱（６）とし、前記棚板（１２）を、前記支柱（６）の前記凹入部（１８）に固定した固定具（２４）のキャップ（２６ａ）により前記支柱（６）の適所に支持したことを特徴とする棚。
【請求項２】
前記天板用の帯板（１０ｂ）に固定される鉄芯（１６）と、一対の分割管体（１４）（１４）を互いに軸方向に結合するための鉄芯（１６）とを２本の鉄芯で構成し、該２本の鉄芯が前記一方の分割管体（１４）に配置されていることを特徴とする請求項１に記載の棚。
【請求項３】
前記分割管体（１４）に、前記凹入部（１８）とは別に、ナット保持部（４８）を設け、該ナット保持部（４８）に固定した固定具（２４）のキャップ（２６ａ）により前記棚板（１２）を前記分割管体（１４）の適所に支持するようにしたことを特徴とする請求項１に記載の棚。
【請求項４】
前記床板用の帯板（１０ａ）に固定された鉄芯（１６）に支柱昇降調整用ナット（３６）を螺合し、該ナット（３６）に前記他方の分割管体（１４）の下端を係止した構成とし、前記ナット（３６）を回転させることにより、該ナット（３６）の鉄芯（１６）に沿った昇降と連動して前記鉄芯（１６）に対してフリー状態とした前記他方の分割管体（１４）が鉄芯（１６）に沿って昇降するようにしたことを特徴とする請求項１に記載の棚。
【請求項５】
前記天板用の帯板（１０ｂ）に固定された鉄芯（１６）に鉄芯昇降調整用ナット（４２）を螺合し、該ナット（４２）を前記一方の分割管体（１４）の上端に係止した構成とし、前記ナット（４２）を回転させることにより、該ナット（４２）に対して、前記分割管体（１４）に対してフリー状態とした前記天板用の帯板（１０ｂ）に固定された鉄芯（１６）が前記ナット（４２）に案内されて軸方向に昇降するようにしたことを特徴とする請求項１に記載の棚。
【請求項６】
前記分割管体（１４）がアルミニウムで構成されていることを特徴とする請求項１に記載の棚。
【請求項７】
台板（５０）の両側に嵌合凹部（５２）を設け、該嵌合凹部（５２）を左右に配置された支柱（６）に嵌合し、前記台板（５０）の前方にテーブル脚（５４）を設け、該テーブル脚（５４）を床面上に載置し、前記台板（５０）を前記支柱（６）の凹入部に固定したキャップスクリューのキャップで支持したことを特徴とする請求項１に記載の棚。
【請求項８】
台板（５０）の両側に嵌合凹部（５２）を設け、該嵌合凹部（５２）を左右に配置された支柱（６）に嵌合し、前記台板（５０）の前方にテーブル脚（５４）を設け、該テーブル脚（５４）を床面上に載置し、前記台板（５０）の上下を前記支柱（６）の凹入部に固定したキャップスクリューのキャップで挟み、該台板（５０）を前記支柱（６）に軸方向に移動しないように支持したことを特徴とする請求項１に記載の棚。
【請求項９】
前記支柱（６）は、横方向に所定間隔を存して配列された前列を構成する複数の支柱（６）と、前列の支柱に対して該支柱ごとに後方に配置された後列を構成する複数の支柱（６）とから成り、前記台板（５０）の両側に左右の各２本づつの支柱（６）に嵌合する嵌合凹部（５２）を設け、該嵌合凹部（５２）を左右の各２本の支柱（６）に嵌合させ、前記台板（５０）に取り付けたテーブル脚（５４）を床面上に載置し、前記台板（５０）の上下を前記左右各２本の支柱（６）の凹入部に固定したキャップスクリューのキャップで挟み、該台板（５０）を前記左右各２本の支柱に軸方向に移動しないように支持したことを特徴とする請求項１に記載の棚。
【請求項１０】
棚板（６６）の両側に嵌合凹部（６８）を設け、該嵌合凹部（６８）を左右に配置された支柱（６）に嵌合し、該棚板（６６）を前記支柱（６）の凹入部に固定したキャップスクリューのキャップで支持したことを特徴とする請求項１に記載の棚。
【発明の詳細な説明】
【技術分野】
【０００１】
本発明は部屋の間仕切りとしても利用でき且つ組み立て、解体及び搬送が容易な棚に関する。
【背景技術】
【０００２】
従来、棚の構造は種々のものが存し、基本的には棚板とこれを支持する支柱構造体とから構成されている（例えば特許文献１参照）。
【先行技術文献】
【特許文献】
【０００３】
【特許文献１】実開昭６１−１６０４９号公報
【発明の概要】
【発明が解決しようとする課題】
【０００４】
室内に棚を設置するとき、部品点数が少なくしかも床、天井、壁の加工工事が不要な棚が求められている。また、大型の棚としては、搬送が容易で且つ容易に解体でき、コンパクトにできる引っ越し等が容易な棚が求められている。
また、全体がシンプルな構造であっても地震や外部衝撃力に強く高い強度を備えた支柱構造の棚が求められている。
本発明は上記要望を満足させる棚を提供することを目的とするものである。
【課題を解決するための手段】
【０００５】
上記目的を達成するため、本発明は、全体を縦方向に複数に分割した棚であって、鉄芯固定用のナット（３０）が複数理設され、表面に複数の前記ナット（３０）のねじ穴が開口する床板用の帯板（１０ａ）と、鉄芯固定用のナット（３０）が複数理設され、表面に複数の前記ナット（３０）のねじ穴が開口する天板用の帯板（１０ｂ）と、外周部にねじが切られた複数本の鉄芯（１６）と、内径部に鉄芯（１６）をスライド自在に保持する鉄芯保持部（２０）とナットをスライド自在に保持するナット保持部（２２）が形成された複数の金属製の分割管体（１４）と、前記分割管体（１４）にスライド自在に嵌合するための穴を有する複数の棚板（１２）と、キャップ（２６ａ）を有するキャップスクリュー（２６）と該キャップスクリュー（２６）に螺合するナット（２８）とを有し、該キャップスクリュー（２６）の先端で前記分割管体（１４）内の鉄芯（１６）を前記鉄芯保持部（２０）に押圧して鉄芯（１６）を分割管体（１４）に固定する固定具（２４）とを備え、前記各分割管体（１４）に、該分割管体（１４）の全長にわたって延びる凹入部（１８）を設け、該凹入部（１８）の奥部側に前記鉄芯保持部（２０）を形成し、前記凹入部（１８）の開口部側に前記ナット保持部（２２）を設け、前記床板用の帯板（１０ａ）のねじ穴に、鉄芯（１６）をねじ込んで床板用の帯板（１０ａ）の表面に鉄芯（１６）を垂直に固定し、前記天板用の帯板（１０ｂ）のねじ穴に、鉄芯（１６）をねじ込んで天板用の帯板（１０ｂ）の表面に鉄芯（１６）を垂直に固定し、前記床板用の帯板（１０ａ）に固定された鉄芯（１６）に嵌挿された分割管体（１４）と、これに軸方向に接する分割管体（１４）とを、一方の分割管体（１４）側の鉄芯（１６）の一部を、他方の分割管体（１４）側の鉄芯保持部（２０）に嵌挿し、該鉄芯（１６）の嵌挿部分を前記固定具（２４）によって前記他方の分割管体（１４）の鉄芯保持部（２０）に固定することにより一対の分割管体（１４）（１４）を互いに軸方向に結合して支柱（６）とし、前記棚板（１２）を、前記支柱（６）の前記凹入部（１８）に固定した固定具（２４）の円筒状キャップ（２６）により前記支柱（６）の適所に支持したことを特徴とする。
また本発明は、前記天板用の帯板（１０ｂ）に固定される鉄芯（１６）と一対の分割管体（１４）（１４）を互いに軸方向に結合するための鉄芯（１６）とを２本の鉄芯で構成し、該２本の鉄芯が前記一方の分割管体（１４）に配置されていることを特徴とする。
また本発明は、前記分割管体（１４）に、前記凹入部（１８）とは別に、ナット保持部（４８）を設け、該ナット保持部（４８）に固定した固定具（２４）の円筒状キャップ（２６ａ）により前記棚板（１２）を前記分割管体（１４）の適所に支持するようにしたことを特徴とする。
また本発明は、前記床板用の帯板（１０ａ）に固定された鉄芯（１６）に支柱昇降調整用ナット（３６）を螺合し、該ナット（３６）に前記他方の分割管体（１４）の下端を係止した構成とし、前記ナット（３６）を回転させることにより、該ナット（３６）の鉄芯（１６）に沿った昇降と連動して前記鉄芯（１６）に対してフリー状態とした前記他方の分割管体（１４）が鉄芯（１６）に沿って昇降するようにしたことを特徴とする。
また本発明は、前記天板用の帯板（１０ｂ）に固定された鉄芯（１６）に鉄芯昇降調整用ナット（４２）を螺合し、該ナット（４２）を前記一方の分割管体（１４）の上端に係止した構成とし、前記ナット（４２）を回転させることにより、該ナット（４２）に対して、前記分割管体（１４）に対してフリー状態とした前記天板用の帯板（１０ｂ）に固定された鉄芯（１６）が前記ナット（４２）に案内されて軸方向に昇降するようにしたことを特徴とする。
また本発明は、前記分割管体（１４）がアルミニウムで構成されていることを特徴とする。
また本発明は、台板（５０）の両側に嵌合凹部（５２）を設け、該嵌合凹部（５２）を左右に配置された支柱（６）に嵌合し、前記台板（５０）の前方にテーブル脚（５４）を設け、該テーブル脚（５４）を床面上に載置し、前記台板（５０）を前記支柱（６）に支持したことを特徴とする。
また本発明は、台板（５０）の両側に嵌合凹部（５２）を設け、該嵌合凹部（５２）を左右に配置された支柱（６）に嵌合し、前記台板（５０）の前方にテーブル脚（５４）を設け、該テーブル脚（５４）を床面上に載置し、前記台板（５０）の上下を前記支柱（６）の凹入部に固定したキャップスクリューのキャップで挟み、該台板（５０）を前記支柱（６）に軸方向に移動しないように支持したことを特徴とする。
また本発明は、前記支柱（６）は、横方向に所定間隔を存して配列された前列を構成する複数の支柱（６）と、前列の支柱に対して該支柱ごとに後方に配置された後列を構成する複数の支柱（６）とから成り、前記台板（５０）の両側に左右の各２本づつの支柱（６）に嵌合する嵌合凹部（５２）を設け、該嵌合凹部（５２）を左右の各２本の支柱（６）に嵌合させ、前記台板（５０）に取り付けたテーブル脚（５４）を床面上に載置し、前記台板（５０）の上下を前記左右各２本の支柱（６）の凹入部に固定したキャップスクリューのキャップで挟み、該台板（５０）を前記左右各２本の支柱に軸方向に移動しないように支持したことを特徴とする。
また本発明は、棚板（６６）の両側に嵌合凹部（６８）を設け、該嵌合凹部（６８）を左右に配置された支柱（６）に嵌合し、該棚板（６６）を前記支柱（６）の凹入部に固定したキャップスクリューのキャップで支持したことを特徴とするものである。
【発明の効果】
【０００６】
本発明は支柱を分割構造とし、しかも支柱を管体と鉄芯の二層構造としたので、組立、解体が容易な上、強度を高くでき、しかも搬送が容易である等の効果が得られる。
【図面の簡単な説明】
【０００７】
【図１】本発明の全体正面図である。
【図２】本発明の説明図である。
【図３】本発明の説明図である。
【図４】本発明の説明図である。
【図５】本発明の説明図である。
【図６】本発明の説明図である。
【図７】本発明の説明図である。
【図８】本発明の説明図である。
【図９】本発明の説明図である。
【図１０】本発明の説明図である。
【図１１】本発明の説明図である。
【図１２】本発明に係る支柱の断面説明図である。
【図１３】本発明に係る支柱の断面説明図である。
【図１４】本発明に係る支柱の他の実施形態の断面説明図である。
【図１５】本発明に係る固定具の外観説明図である。
【図１６】本発明の他の実施形態を示す説明図である。
【図１７】本発明の他の実施形態のテーブルを示す説明図である。
【図１８】本発明の他の実施形態のテーブル脚を示す説明図である。
【図１９】本発明の他の実施形態の説明図である。
【図２０】本発明の他の実施形態の棚板を示す説明図である。
【図２１】本発明の説明図である。
【発明を実施するための形態】
【０００８】
以下に本発明の実施の形態を添付した図面を参照して詳細に説明する。
図１は、本発明に係る棚の全体の正面図を示している。棚は、全体を縦方向に２分割した、棚上部２と、棚下部４とから成り、これを結合した構成となっている。棚下部４は、支柱６の１／２の長さの複数の分割支柱８ａと、床板として用いられる帯板１０ａと、複数の棚板１２とを主たる構成要素としている。
【０００９】
棚上部２は、支柱６の１／２の長さの複数の分割支柱８ｂと、天板として用いられる帯板１０ｂと複数の棚板１２とを主たる構成要素としている。棚下部４の分割支柱８ａと棚上部２の分割支柱８ｂとが軸方向に連結して１本の支柱６を構成する。支柱６は本実施形態では図６に示すように、前列４本、後列４本計８本が帯板１０ａ，１０ｂ間に配置されるように構成されている。各分割支柱８ａ,８ｂは、図１０に示すように、アルミニウム押し出し材から成る分割管体１４と、各分割管体１４に挿入される丸棒状の鉄芯１６とから成り、各分割管体１４には、長手方向全長に亘って凹入部１８が形成されている。帯板１４及び棚板１２は本実施形態では、木材から構成されている。
【００１０】
凹入部１８の奥部側には、図１１に示すように、鉄芯１６を分割管体１４の長手方向に沿ってスライド自在に保持する鉄芯保持部２０が分割管体１４の長手方向全長に亘って形成されている。鉄芯保持部２０は、図１３に示すように、断面円形の鉄芯１６の外周面のわん曲面に対応するわん曲面２０ａを有している。凹入部１８の開口部側には、ナットを分割管体１４の長手方向に沿ってスライド自在に保持するナット保持部２２が形成されている。
【００１１】
鉄芯１６を凹入部１８内の鉄芯保持部２０に挿入し、鉄芯１６の外周面を鉄芯保持部２０のわん曲面２０ａに密着させると、鉄芯１６は、丁度分割管体１４の中心に位置するように構成されている。棚下部４用の分割管体１４に挿入される鉄芯１６は、分割管体１４の下端から所定長さ突出し、且つ、分割管体１４の上端より所定長さ引っ込む長さに設定され、棚上部２用の分割管体１４に挿入される鉄芯１６は、図６に示すように、天板１０ｂに固定される短い鉄芯１６と、長い鉄芯１６の２種類が用意され、２本合わせて分割管体１４の略全長の長さに設定されている。各鉄芯１６には、外周部にねじが形成されている。
【００１２】
図１５は、鉄芯１６を分割管体１４に固定するために使用される固定具２４を示し、六角穴を有する円筒型のキャップ２６ａとねじ部２６ｂとを有する六角穴付きボルト２６（キャップスクリュー）と、六角ナット２８とから構成されている。該固定具２４は、棚受けダボとしても、また、分割管体１４を接合する連結具としても使用される。帯板１０ａ，１０ｂには、複数箇所に爪付きナット３０が打ち込まれ、図６に示すように、帯板１０ａ，１０ｂの各表面にねじ穴からなる支柱取付部３２を構成している。
【００１３】
本実施形態では、各帯板１０ａ，１０ｂに、前列４箇所、後列４箇所の計８ヶ所の支柱取付部３２を設けているが特に８ヶ所に設けることに限定されるものではなく、任意の位置に任意の数の支柱取付部３２を設けても良い。各帯板１０ａ，１０ｂに打ち込まれた爪付きナット３０の各ねじ穴の中心軸線は、該ねじ穴が開口する帯板１０ａ，１０ｂの平面に対して垂直に設定されている。棚板１２は、帯板１０ａ，１０ｂと略同一形状に形成され、複数用意されている。各棚板１２には、帯板１０ａ，１０ｂの支柱取付部３２に対応する位置に、支柱挿入用の穴が設けられ、該穴を通じて、支柱６にスライド自在に挿入配置できるように構成されている。
なお、棚板１２及び帯板１０ａ，１０ｂは同一形状に限定されるものではなく、任意の形状とすることができる。
次に、棚の組立方法について説明する。
【００１４】
予め、図６に示すように、棚下部４用の各鉄芯１６に、ナット３４，３６を螺合し、平ワッシャ３８と平ワッシャ４０を挿入しておく。これら棚下部４用の各鉄芯１６の下端部を、床板用の帯板１０ａの各支柱取付部３２に、、手操作で、所定深さねじ込み、ナット３４を締め付けて、鉄芯１６の下端部を帯板１０ａに垂直に固定する。
【００１５】
次に、ナット３６の位置を調整する。次に鉄芯１６に分割管体１４を挿入し、分割管体１４の下端を平ワッシャ３８を介して、ナット３６に当接させる。次に、所定数の棚板１２を、各棚板１２に形成された穴を介して分割管体１４に挿入する。また、各棚板１２の下方に位置させて、固定具２４のナット２８をナット保持部２２にスライド自在に嵌合配置する。次に、各棚板１２を、管体１４に沿って昇降方向にスライドさせ、所望の高さとしたところで、固定具２４を、棚板１２の下に移動させ、固定具２４のキャップ２６ａを棚板１２の下面に当接配置する。
【００１６】
次に、六角穴付きボルト２６を六角棒レンチで締め付け方向に回転し、ボルト２６ｂの先端で鉄芯１６を押圧し、ナット２８を分割管体１４の管壁に圧接させ、且つ鉄芯１６を鉄芯保持部２０のわん曲面２０ａに図１２の如く圧着させて鉄芯１６に分割管体１４を固定する。この固定状態において、鉄芯１６は分割管体１４の中心に位置する。各棚板１２は、所望の高さに、固定具２４のキャップ２６によって支持され、図３に示すように棚の下部４が構築される。該状態において、分割管体１４内の鉄芯１６は、その上端が、所定長さ、分割管体１４の上端より引き込んだ状態となっており、これにより、分割管体１４の上部の鉄芯保持部２０に鉄芯受け入れ部が形成される。
【００１７】
次に、天板用の帯板１０ｂを図６に示すように、床面に載置した状態で、その各支柱取付部３２のねじ穴に、予めナット４２，４４がねじ込まれた棚上部２用の短い方の各鉄芯１６の一端部を、平ワッシャ４６（図５参照）の上から、ねじ込み、ナット４４を締め付けて、天板用の帯板１０ｂに棚上部２用の短い方の各鉄芯１６を垂直に固定する。次に、ナット４２の位置を調整する。次に短い方の鉄芯１６に平ワッシャ４８を介して、分割管体１４を挿入し、分割管体１４の一端を平ワッシャ４８を介して、ナット４２に当接させる。この分割管体１４の中には、長い方の鉄芯１６が予め挿入されている。次に、所要数の棚板１２を、各棚板１２に形成された穴を介して、分割管体１４に挿入する。また、各棚板１２ごとに、固定具２４のナット２８をナット保持部２２にスライド自在に嵌合配置する。
【００１８】
次に各固定具２４を、所定の棚板支持位置に移動させて、該支持位置で、六角穴付きボルト２６を締め付け方向に回転し、固定具２４を分割管体１４に固定する。該固定状態において、短い方の鉄芯１６が分割管体１４の中心に位置した状態で分割管体１４は鉄芯１６に固定される。また、棚上部２用の分割管体１４内の長い方の鉄芯１６は、その一端部を、分割管体１４の他端部から所定量突出させて、分割管体１４に仮止めしておく。この仮止めを解除すれば、長い方の鉄芯は棚上部２用の分割管体１４に対して移動可能であり、この移動可能な鉄芯１６の突出部分１６ａは、棚上部２と下部４の分割管体１４の接続に使用される。
【００１９】
次に、棚上部２を図３に示す、帯板１０ｂを床面に載置した逆さまの状態から、ひっくり返して図２に示すように帯板１０ｂを上にした状態とし、棚上部２を、棚下部４の直上に移動して、棚上部２の各分割管体１４の端部を、棚下部４の対応する分割管体１４の端部に合わせ（図２１Ａ参照）、鉄芯１６の突出部分１６ａを棚下部４の管体１４に挿入する（図２１Ｂ参照）。このとき、棚上部２の各分割管体１４に対する長い方の鉄芯１６の仮止めを解除し、長い方の鉄芯１６を各分割管体１４に対して移動可能とする。この移動可能な鉄芯１６が下部へ移動し、鉄芯１６の突出部分１６ａが、棚下部４の対応する分割管体１４の鉄芯受け入れ部に深く挿入される（図２１Ｃ参照）。
【００２０】
次に予め、棚下部４の分割管体１４の凹入部１８の上部に配置しておいた固定具２４によって、棚下部４の分割管体１４側の鉄芯受け入れ部に挿入された、棚上部２用の鉄芯１６の突出部分１６ａを、棚下部４の分割管体１４側の鉄芯受け入れ部に圧着固定する（図２１Ｄ参照）。これにより、棚上部２と棚下部４は結合される。天板用の帯板１０ｂは、天井に対面配置される。天板用の帯板１０ｂを、天井に圧接させ、帯板１０ｂを天井にフィットさせる場合には、図５に示すように、棚上部２用分割管体１４とこれの内部の短い方の鉄芯１６との固定を解除した状態で、ナット４２を回転させ、該ナット４２を支点として鉄芯１６を昇降させる。
【００２１】
これにより、短い方の鉄芯１６と連動する帯板１０ｂを昇降方向に調製することができ、帯板１０ｂを天井にフィットさせることができる。また、各支柱６を昇降方向に調製する場合には、図４に示すように、棚下部４の分割管体１４とその内部の鉄芯１６との固定を解除した状態で、ナット３６を回転させ、ナット３６を鉄芯１６に対して昇降させる。ナット３６の鉄芯１６に沿った昇降と連動して、ナット３６に平ワッシャ３８を介して当接する分割管体１４が昇降する。これにより棚板１２の水平レベルを出すことができる。上記実施形態では、支柱６を２分割したが、分割数は特に２分割に限定されるものではない。また、分割した支柱の長さは、上下あるいは上中下の各分割管体が同一長である構成に特に限定されるものではない。
【００２２】
また、図１４に示すように、分割管体１４に凹入部１８とは別に、Ｔ溝からなるナット保持部４８を、分割管体１４の全長にわたって形成し、このナット保持部４８に、図１５に示す固定具２４のナット２８を配置して、この固定具２４の円筒状キャップ２６ａを棚板支持用のダボとして使用するようにしても良い。
本発明は、ナット３６，４２で天井から床までのフィットする棚を構築できる。床から天井まで面で密着する棚は転倒しにくいという効果がある。
また、一組のキャップスクリューとナットで鉄芯を管体に押圧することで鉄芯と管体を固着し一体化し強固な支柱を形成することができ、且つ上下部の棚を結合でき、且つ棚板を支持するダボの用をなすという三重の働きを兼ねることができる。
【００２３】
更に、ナット３６，４２で天井にフィットした状態をロックできる。また、本発明は管体の鉄芯収納部はキャップスクリューによって鉄芯を押圧した場合、鉄芯の中心と管体の中心が必ず一致する様に押圧される形状になっている。鉄芯の中心と管体の中心が必ず一致することで管体のスムーズな接続を簡便確実にできる。
本発明は、鉄芯は天板、床板に固定された鉄芯と上部管体内に仮止めされた移動可能な鉄芯とから構成される。移動可能の鉄芯を移動させ分割された管体をまたがってキャップスクリューで押圧されて一体化した支柱になる。また、鉄芯のない管体部分のキャップスクリューとナットはキャップスクリューのキャップとナットの間の管体を挟み込んで留まりダボの用をなす。
【００２４】
次に本発明の他の実施形態を図１６乃至図１８を参照して詳細に説明する。
図１６において、棚は、棚上部２と棚下部４とから成り、これらが結合され、各支柱６に、複数の棚板１２が支持されている。この棚の構成は、図１に示す棚の構成と同一である。棚下部４の左右の支柱６，６間のスパンには、木製のテーブル用台板５０が配置されている。台板５０は左右の支柱６，６の間隔に合わせてＵ字形に切り込まれている。台板５０の矩形状の取付部５０ａの左右の両側に各々、一対の嵌合凹部５２が形成されている。台板５０の前方部分５０ｂの下面の両側には、２本のテーブル脚５４，５４が台板５０に対して垂直に固定されている。
【００２５】
前記台板５０の４つの嵌合凹部５２は、前列左右２本の支柱６の周面と、後列左右２本の支柱６の周面に密に嵌合するのに適した形状に設定されている。各テーブル脚５４，５４は、図５に示す分割支柱８ａ，８ｂとほぼ同じ構造を備え、管体５６と２本の鉄芯５８とから脚部を構成している。脚部の上部は、管体５６から一方の鉄芯５８が突出し、該鉄芯５８が台板５０に固着された爪付きナット（図示省略）のねじ穴に、ナットと平ワッシャを介して、ねじ込まれ、また、管体５６がキャップスクリューとナットにより一方の鉄芯に固定されこれにより脚部の上部は、台板５０に垂直に固定されている。脚部の２本の鉄芯５８と管体５６との一体固定化は、キャップスクリューとナットが用いられている。
【００２６】
脚部の下部は管体５６から他方の鉄芯５８が突出し、該鉄芯５８のねじ部にナット６０が螺合し、該ナット６０に平ワッシャ６２を介して管体５６の下端が当接配置されている。テーブル脚５４の脚部の下部の、管体５６から突出する他方の鉄芯５８の下端にはアジャスタ６４が取り付けられている。
アジャスタ６４の管体５６の下端に対する距離は、管体５６と他方の鉄芯５８との固定を解除した状態で、ナット６０を回すことにより、管体５６の下端からの鉄芯５８の突出量を変化させることで、調整することができる。
上記はアジャスタ６４を支点とした、台板５０のレベルの調整であるが、台板５０を支点として脚部の長さを調整する場合は、管体５６に対して他方の鉄芯５８のキャップスクリューとナットによる固定を解除した状態で、他方の鉄芯５８を管体５６に対して軸方向にスライド移動させ、管体５６の下端からの他方の鉄芯５８の突出量を変化させ脚部の長さを調整する。このときナット６０は、他方の鉄芯５８の管体５６に対するスライド移動の邪魔にならない位置に配置しておく。脚部の長さの調整が完了したらキャップスクリューとナットを用いて他方の鉄芯５８を、管体５６に固定する。また、ナット６０を回してナット６０を管体５６の下端に平ワッシャ６２を介して圧着する。
【００２７】
テーブルを棚に取り付ける場合には、左右の前後に２本づつの支柱６が対向するスパンの中、任意の選択したスパンに、テーブル用台板５０を斜めに傾けて取付部５０ａを挿入し、しかる後に、台板５０を水平にして、左右の嵌合凹部５２をそれぞれ対応する支柱６に嵌合する。更に、台板５０を支柱６に沿ってスライドさせて高さ調整し、テーブル脚５４の脚部を床面に載置し、台板５０を床面に対して水平に配置する。このとき、アジャスタ６４を操作してテーブル脚５４の脚部の長さを調整することができる。台板５０の高さが決まったところで、支柱６に台板５０の各嵌合凹部５２ごとに上下２個のキャップスクリューとナットとを用いて台板５０の上下をキャップスクリューのキャップで挟み、台板５０を対応する支柱６に固定する。
【００２８】
上記のように棚にテーブルを追加することで、棚の前方にテーブルの脚部による支えができるので、棚の安定性が増し、安全性を向上させることができる。
次に本発明の他の実施形態を図１９及び２０を参照して説明する。
棚の支柱間スパンに配置するための小型の棚板６６を用意し、この棚板６６の両側に、支柱用の嵌合凹部６８を設けることで、棚の任意のスパンに小型の棚板６６を簡単に取り付けることができる。この小型棚板６６の取り付け方法は、上記したテーブルの台板５０の取り付け方法と同一であり、図１９は取り付け時において、小型棚板６６を傾けた状態を示している。そのたの構成は図１６に示す実施形態と同一なため、その説明を省略する。
【符号の説明】
【００２９】
２      棚上部
４      棚下部
６      支柱
８ａ    分割支柱
８ｂ    分割支柱
１０    帯板
１２    棚板
１４    分割管体（アルミ押出材）
１６    鉄芯（寸切ボルト）
１８    凹入部
２０    鉄芯保持部
２２    ナット保持部
２４    固定具
２６    六角穴付きボルト（キャップスクリュー）
２８    六角ナット
３０    爪付きナット
３２    支柱取付部
３４    ナット
３６    ナット
３８    平ワッシャ
４０    平ワッシャ
４２    ナット
４４    ナット
４６    平ワッシャ
４８    ナット保持部
５０    台板
５２    嵌合凹部
５４    テーブル脚
５６    管体
５８    鉄芯
６０    ナット
６２    平ワッシャ
６４    アジャスタ
６６    棚板
６８    嵌合凹部  
【図１】
2014147663.tif 000003
【図２】
2014147663.tif 000004
【図３】
2014147663.tif 000005
【図４】
2014147663.tif 000006
【図５】
2014147663.tif 000007
【図６】
2014147663.tif 000008
【図７】
2014147663.tif 000009
【図８】
2014147663.tif 000010
【図９】
2014147663.tif 000011
【図１０】
2014147663.tif 000012
【図１１】
2014147663.tif 000013
【図１２】
2014147663.tif 000014
【図１３】
2014147663.tif 000015
【図１４】
2014147663.tif 000016
【図１５】
2014147663.tif 000017
【図１６】
2014147663.tif 000018
【図１７】
2014147663.tif 000019
【図１８】
2014147663.tif 000020
【図１９】
2014147663.tif 000021
【図２０】
2014147663.tif 000022
【図２１】
2014147663.tif 000023